(57)【要約】【課題】本発明は、光学レンズ分野に関し、広角レンズを提供する。【解決手段】当該広角レンズは、物体側から、順に正の屈折力を有する第１レンズ、負の屈折力を有する第２レンズ、負の屈折力を有する第３レンズ、第４レンズ、第５レンズ、及び第６レンズからなり、且つ条件式−１．００≦ｆ１／ｆ２≦−０．３０、１５．００≦Ｒ９／ｄ９≦５０．００、−２．００≦ｆ５／ｆ６≦−１．００、２．７５≦ｄ１／ｄ３≦５．００を満足する。当該広角レンズは、高結像性能を得ると共に、低ＴＴＬを得ることができる。【選択図】図１
2020122954.tif 000002
【特許請求の範囲】
【請求項１】
広角レンズであって、
物体側から、順に第１レンズ、第２レンズ、第３レンズ、第４レンズ、第５レンズ、及び第６レンズからなり、前記第１レンズは正の屈折力を有し、前記第２レンズは負の屈折力を有し、前記第３レンズは負の屈折力を有し、且つ以下の条件式（１）〜（４）を満足することを特徴とする広角レンズ。
−１．００≦ｆ１／ｆ２≦−０．３０  （１）
１５．００≦Ｒ９／ｄ９≦５０．００  （２）
−２．００≦ｆ５／ｆ６≦−１．００  （３）
２．７５≦ｄ１／ｄ３≦５．００  （４）
但し、
ｆ１：前記第１レンズの焦点距離
ｆ２：前記第２レンズの焦点距離
Ｒ９：前記第５レンズの物体側面の軸上曲率半径
ｄ９：前記第５レンズの軸上厚み
ｆ５：前記第５レンズの焦点距離
ｆ６：前記第６レンズの焦点距離
ｄ１：前記第１レンズの軸上厚み
ｄ３：前記第２レンズの軸上厚みである。
【請求項２】
以下の条件式（５）をさらに満足することを特徴とする請求項１に記載の広角レンズ。
−２０．００≦(Ｒ７＋Ｒ８)／(Ｒ７−Ｒ８)≦−１．００  （５）
但し、
Ｒ７：前記第４レンズの物体側面の軸上曲率半径
Ｒ８：前記第４レンズの像側面の軸上曲率半径である。
【請求項３】
以下の条件式（６）をさらに満足することを特徴とする請求項１に記載の広角レンズ。
０．５０≦ｆ１／ｆ≦２．００  （６）
但し、
ｆ１：前記第１レンズの焦点距離
ｆ：前記広角レンズ全体の焦点距離である。
【請求項４】
以下の条件式（７）をさらに満足することを特徴とする請求項３に記載の広角レンズ。
０．５０≦ｆ１／ｆ≦１．００  （７）
【請求項５】
以下の条件式（８）をさらに満足することを特徴とする請求項１に記載の広角レンズ。
１．００≦(Ｒ３＋Ｒ４)／(Ｒ３−Ｒ４)≦５．００  （８）
但し、
Ｒ３：前記第２レンズの物体側面の軸上曲率半径
Ｒ４：前記第２レンズの像側面の軸上曲率半径である。
【請求項６】
以下の条件式（９）をさらに満足することを特徴とする請求項５に記載の広角レンズ。
１．００≦(Ｒ３＋Ｒ４)／(Ｒ３−Ｒ４)≦３．００  （９）
【請求項７】
以下の条件式（１０）をさらに満足することを特徴とする請求項３に記載の広角レンズ。
０．１０≦Ｙｃ６２／ＴＴＬ≦０．５５  （１０）
但し、
Ｙｃ６２：前記第６レンズの像側面上の停留点から光軸までの垂直距離
ＴＴＬ：前記広角レンズの光学長である。
【請求項８】
前記第４レンズは、正の屈折力を有し、前記第５レンズは、正の屈折力を有し、前記第６レンズは、負の屈折力を有することを特徴とする請求項１に記載の広角レンズ。
【請求項９】
前記広角レンズのＦＮＯは２．００以下であることを特徴とする請求項１に記載の広角レンズ。
【発明の詳細な説明】
【技術分野】
【０００１】
本発明は、撮像レンズに関する発明である。特に、高画素用ＣＣＤ、ＣＭＯＳなどの撮像素子を使用した携帯電話カメラモジュール、ＷＥＢ撮像レンズなどに好適な、良好な光学特性を有し、ＴＴＬ（光学長）／ＩＨ(像高)≦１．５０で、極薄であり、且つＦ値（以下、ＦＮＯと略称する）が２．００以下である、６枚のレンズで構成される広角レンズに関する発明である。
【背景技術】
【０００２】
近年、ＣＣＤやＣＭＯＳなどの撮像素子を使用した各種撮像装置が広く普及している。これらの撮像素子の小型化、高性能化に伴い、優れた光学特性を有し、極薄であり、且つ明るいＦＮＯを有する撮像レンズが求められている。
【０００３】
優れた光学特性を有し、極薄であり、且つ明るいＦＮＯである、６枚のレンズで構成される撮像レンズに関する技術開発が進められている。物体側から順に、正の屈折力を有する第１レンズ、負の屈折力を有する第２レンズ、負の屈折力を有する第３レンズ、第４レンズ、第５レンズ及び第６レンズで構成された広角レンズが提案されている。
【発明の概要】
【発明が解決しようとする課題】
【０００４】
本発明は、上記問題に鑑みてなされたものであり、高結像性能を得るとともに、極薄化と広角化の要求を満たす広角レンズを提供することを目的とする。
【課題を解決するための手段】
【０００５】
上記問題を解決するために、本発明の実施形態は、広角レンズを提供する。前記広角レンズは、物体側から像側にかけて、順に第１レンズ、第２レンズ、第３レンズ、第４レンズ、第５レンズ、及び第６レンズからなり、前記第１レンズが正の屈折力を有し、前記第２レンズが負の屈折力を有し、前記第３レンズが負の屈折力を有し、且つ、以下の条件式（１）〜（４）を満足する。
−１．００≦ｆ１／ｆ２≦−０．３０  （１）
１５．００≦Ｒ９／ｄ９≦５０．００  （２）
−２．００≦ｆ５／ｆ６≦−１．００  （３）
２．７５≦ｄ１／ｄ３≦５．００  （４）
但し、
ｆ１：前記第１レンズの焦点距離
ｆ２：前記第２レンズの焦点距離
Ｒ９：前記第５レンズの物体側面の軸上曲率半径
ｄ９：前記第５レンズの軸上厚み
ｆ５：前記第５レンズの焦点距離
ｆ６：前記第６レンズの焦点距離
ｄ１：前記第１レンズの軸上厚み
ｄ３：前記第２レンズの軸上厚みである。
【０００６】
本発明の実施形態は、従来技術に対して、上記レンズの配置方式により、軸上厚みと曲率半径のデータ上に特定の関係を有するレンズの協働により、広角レンズが高結像性能を得ると共に、極薄化と広角化の要求を満足することができる。
【０００７】
好ましくは、さらに以下の条件式（５）を満足する。
−２０．００≦(Ｒ７＋Ｒ８)／(Ｒ７−Ｒ８)≦−１．００  （５）
但し、
Ｒ７：前記第４レンズの物体側面の軸上曲率半径
Ｒ８：前記第４レンズの像側面の軸上曲率半径である。
【０００８】
好ましくは、さらに以下の条件式（６）を満足する。
０．５０≦ｆ１／ｆ≦２．００  （６）
但し、
ｆ１：前記第１レンズの焦点距離
ｆ：前記広角レンズ全体の焦点距離である。
【０００９】
好ましくは、さらに以下の条件式（７）を満足する。
０．５０≦ｆ１／ｆ≦１．００  （７）
【００１０】
好ましくは、さらに以下の条件式（８）を満足する。
１．００≦(Ｒ３＋Ｒ４)／(Ｒ３−Ｒ４)≦５．００  （８）
但し、
Ｒ３：前記第２レンズの物体側面の軸上曲率半径
Ｒ４：前記第２レンズの像側面の軸上曲率半径である。
【００１１】
好ましくは、さらに以下の条件式（９）を満足する。
１．００≦(Ｒ３＋Ｒ４)／(Ｒ３−Ｒ４)≦３．００  （９）
【００１２】
好ましくは、さらに以下の条件式（１０）を満足する。
０．１０≦Ｙｃ６２／ＴＴＬ≦０．５５  （１０）
但し、
Ｙｃ６２：前記第６レンズの像側面における停留点から光軸までの垂直距離
ＴＴＬ：前記広角レンズの光学長である。
【００１３】
好ましくは、前記第４レンズは正の屈折力を有し、前記第５レンズは正の屈折力を有し、前記第６レンズは負の屈折力を有する。
【００１４】
好ましくは、前記広角レンズのＦＮＯは２．００以下である。
【発明の効果】
【００１５】
本発明は、下記の有利な作用効果を有する。本発明に係る撮像光学レンズは、優れた光学特性を有し、極薄、広角であり且つ色収差が十分に補正され、特に高画素用のＣＣＤ、ＣＭＯＳなどの撮像素子により構成された携帯電話の撮像レンズアセンブリとＷＥＢ撮像レンズに適用することができる。
【図面の簡単な説明】
【００１６】
【図１】本発明の第１実施形態に係る広角レンズの構成を示す模式図である。
【図２】図１に示す広角レンズの軸上色収差を示す模式図である。
【図３】図１に示す広角レンズの倍率色収差を示す模式図である。
【図４】図１に示す広角レンズの像面湾曲及び歪曲収差を示す模式図である。
【図５】本発明の第２実施形態に係る広角レンズの構成を示す模式図である。
【図６】図５に示す広角レンズの軸上色収差を示す模式図である。
【図７】図５に示す広角レンズの倍率色収差を示す模式図である。
【図８】図５に示す広角レンズの像面湾曲及び歪曲収差を示す模式図である。
【図９】本発明の第３実施形態に係る広角レンズの構成を示す模式図である。
【図１０】図９に示す広角レンズの軸上色収差を示す模式図である。
【図１１】図９に示す広角レンズの倍率色収差を示す模式図である。
【図１２】図９に示す広角レンズの像面湾曲及び歪曲収差を示す模式図である。
【発明を実施するための形態】
【００１７】
本発明の目的、解決手段及びメリットがより明瞭になるように、図面を参照しながら、本発明の各実施形態を以下に詳しく説明する。しかし、本発明の各実施形態において、本発明が良く理解されるように多くの技術的詳細が提出されたが、それらの技術的詳細および以下の各実施形態に基づく各種の変化及び修正が存在しなくとも、本発明の保護しようとするものを実現可能であることは、当業者に理解されるべきである。
【００１８】
（第１実施形態）
図面を参照し、本発明は、広角レンズ１０を提供する。図１において、本発明の第１実施形態に係る広角レンズ１０が示されており、当該広角レンズ１０は、６枚のレンズを備える。具体的に、前記広角レンズ１０は、物体側から像側にかけて、順次に絞りＳ１、第１レンズＬ１、第２レンズＬ２、第３レンズＬ３、第４レンズＬ４、第５レンズＬ５及び第６レンズＬ６からなる。第６レンズＬ６と像面Ｓｉとの間に光学フィルタ（ｆｉｌｔｅｒ）ＧＦなどの光学素子が設けられても良い。
【００１９】
第１レンズＬ１、第２レンズＬ２、第３レンズＬ３、第４レンズＬ４、第５レンズＬ５及び第６レンズＬ６は、いずれもプラスチック材質である。
【００２０】
前記第１レンズＬ１は正の屈折力を有し、前記第２レンズＬ２は負の屈折力を有し、前記第３レンズＬ３は負の屈折力を有する。
【００２１】
ここで、前記第１レンズＬ１の焦点距離をｆ１、前記第２レンズＬ２の焦点距離をｆ２として定義すると、当該広角レンズ１０は、条件式−１．００≦ｆ１／ｆ２≦−０．３０を満足し、これによって第１レンズＬ１と第２レンズＬ２の焦点距離の比を規定する。上記条件式の範囲外では、ＦＮＯが明るい状態で、小型化が困難となる。好ましくは、条件式−０．７５≦ｆ１／ｆ２≦−０．３５を満足する。
【００２２】
前記第５レンズの物体側面の軸上曲率半径をＲ９、前記第５レンズの軸上厚みをｄ９として定義すると、当該広角レンズ１０は条件式１５．００≦Ｒ９／ｄ９≦５０．００を満足し、これによって第５レンズＬ５の形状を規定する。上記条件式の範囲外では、レンズの極薄広角化が進行することにつれて、収差の補正が困難となる。
【００２３】
前記第５レンズＬ５の焦点距離をｆ５、前記第６レンズＬ６の焦点距離をｆ６として定義すると、当該広角レンズ１０は条件式−２．００≦ｆ５／ｆ６≦−１．００を満足し、これによって第５レンズＬ５と第６レンズＬ６の焦点距離の比を規定する。この比を合理的に規定することによって、広角レンズ１０がシステム収差を効果的に補正することができる。上記条件式の範囲外では、ＦＮＯが明るい状態で、優れた結像性能を得ることが困難となる。好ましくは、条件式−１．６０≦ｆ５／ｆ６≦−１．２０を満足する。
【００２４】
前記第１レンズの軸上厚みをｄ１、前記第２レンズの軸上厚みをｄ３として定義すると、当該広角レンズ１０は条件式２．７５≦ｄ１／ｄ３≦５．００を満足し、これによって第１レンズＬ１と第２レンズＬ２の中心厚の比を規定する。この範囲外では、ＦＮＯが明るい状態で、小型化が困難となる。
【００２５】
本発明に係る前記広角レンズ１０の軸上厚みと曲率半径が上記条件を満足する場合、広角レンズ１０が高性能を有し、且つ、広角、低ＴＴＬの設計需要を満足する。具体的に、広角レンズ１０全体の焦点距離が５．５４３ｍｍであり、光学長ＴＴＬが６．５ｍｍであり、後焦点距離ＬＢが１．２０１ｍｍであり、画角が７８．０４８°であり、ＦＮＯが１．７８０である。
【００２６】
本実施形態では、第１レンズＬ１は、物体側面が近軸において凸面であり、像側面が近軸において凹面であり、正の屈折力を有し、その焦点距離ｆ１が４．２１５ｍｍである。
【００２７】
当該広角レンズ１０は条件式０．５０≦ｆ１／ｆ≦２．００を満足し、第１レンズＬ１の焦点距離ｆ１と広角レンズ１０全体の焦点距離ｆの比を規定するものである。第１レンズＬ１の正の屈折力を合理的な範囲に規定することで、広角レンズの小型化を実現する。好ましくは、条件式０．５０≦ｆ１／ｆ≦１．００を満足する。
【００２８】
第２レンズＬ２は、物体側面が近軸において凸面であり、像側面が近軸において凹面であり、負の屈折力を有し、その焦点距離ｆ２が−７．１７６ｍｍである。
【００２９】
第２レンズＬ２の物体側面の軸上曲率半径をＲ３、第２レンズＬ２の像側面の軸上曲率半径をＲ４として定義すると、条件式１．００≦(Ｒ３＋Ｒ４)／(Ｒ３−Ｒ４)≦５．００を満足し、これによって第２レンズＬ２の形状を規定する。この範囲外では、ＦＮＯが明るい状態で、小型化が困難となる。好ましくは、条件式１．００≦(Ｒ３＋Ｒ４)／(Ｒ３−Ｒ４)≦３．００を満足する。
【００３０】
第３レンズＬ３は、その物体側面が近軸において凸面であり、その像側面が近軸において凹面であり、負の屈折力を有し、その焦点距離ｆ３が−５２．３７９ｍｍである。
【００３１】
第４レンズＬ４は、物体側面が近軸において凸面であり、像側面が近軸において凹面であり、正の屈折力を有し、その焦点距離ｆ４が２３．３５３ｍｍである。
【００３２】
第４レンズＬ４の物体側面の軸上曲率半径をＲ７、第４レンズＬ４の像側面の軸上曲率半径をＲ８として定義すると、条件式−２０．００≦(Ｒ７＋Ｒ８)／(Ｒ７−Ｒ８)≦−１．００を満足し、これによって第４レンズＬ４の形状を規定する。この範囲外では、ＦＮＯが明るい状態で、システム収差の補正が困難となる。好ましくは、条件式−１８．００≦(Ｒ７＋Ｒ８)／(Ｒ７−Ｒ８)≦−３．００を満足する。
【００３３】
第５レンズＬ５は、物体側面が近軸において凸面であり、像側面が近軸において凸面であり、正の屈折力を有し、その焦点距離ｆ５が４．０２３ｍｍである。
【００３４】
第６レンズＬ６は、物体側面が近軸において凹面であり、像側面が近軸において凹面であり、負の屈折力を有し、その焦点距離ｆ６が−２．９２９ｍｍである。
第６レンズＬ６の像側面における停留点から光軸までの垂直距離Ｙｃ６２が１．７１５ｍｍであり、広角レンズ１０の光学長ＴＴＬが６．５００ｍｍであり、条件式０．１０≦Ｙｃ６２／ＴＴＬ≦０．５５を満足し、これによって第６レンズＬ６の停留点の位置と光学長の比を規定する。この範囲外では、広角レンズ１０の収差と歪曲収差の補正が困難となる。
【００３５】
広角レンズ１０のＦＮＯが２．００以下である。ＦＮＯが広角レンズの絞りＦ値であり、この条件を満足することで、広角レンズ１０が良好な明るさを有し、絞りが大きいである需要を満足するとともに、夜間撮影の効果がより良くなる。
【００３６】
このように設計すると、広角レンズ１０全体の光学長ＴＴＬをできる限り短くし、広角化と小型化の特性を維持するとともに、絞りが大きいである需要を満足する。
【００３７】
以下、本発明に係る広角レンズ１０について、さらに説明する。各実施形態に記載の記号は以下の通りである。焦点距離、軸上距離、曲率半径、軸上厚み、変曲点位置、停留点位置の単位がｍｍであり、全画角の単位が°である。
ｆ：広角レンズ１０全体の焦点距離
ｆ１：第１レンズＬ１の焦点距離
ｆ２：第２レンズＬ２の焦点距離
ｆ３：第３レンズＬ３の焦点距離
ｆ４：第４レンズＬ４の焦点距離
ＦＮＯ：Ｆ値
２ω：全画角
Ｓ１  ：絞り
Ｒ   ：光学面の曲率半径、レンズの場合は中心曲率半径
Ｒ１  ：第１レンズＬ１の物体側面の曲率半径
Ｒ２  ：第１レンズＬ１の像側面の曲率半径
Ｒ３  ：第２レンズＬ２の物体側面の曲率半径
Ｒ４  ：第２レンズＬ２の像側面の曲率半径
Ｒ５  ：第３レンズＬ３の物体側面の曲率半径
Ｒ６  ：第３レンズＬ３の像側面の曲率半径
Ｒ７  ：第４レンズＬ４の物体側面の曲率半径
Ｒ８  ：第４レンズＬ４の像側面の曲率半径
Ｒ９  ：第５レンズＬ５の物体側面の曲率半径
Ｒ１０：第５レンズＬ５の像側面の曲率半径
Ｒ１１ ：第６レンズＬ６の物体側面の曲率半径
Ｒ１２ ：第６レンズＬ６の像側面の曲率半径
Ｒ１３ ：光学フィルタＧＦの物体側面の曲率半径
Ｒ１４ ：光学フィルタＧＦの像側面の曲率半径
ｄ   ：レンズの軸上厚み、又は、レンズ間の軸上距離
ｄ０：絞りＳ１から第１レンズＬ１の物体側面までの軸上距離
ｄ１：第１レンズＬ１の軸上厚み
ｄ２：第１レンズＬ１の像側面から第２レンズＬ２の物体側面までの軸上距離
ｄ３：第２レンズＬ２の軸上厚み
ｄ４：第２レンズＬ２の像側面から第３レンズＬ３の物体側面までの軸上距離
ｄ５：第３レンズＬ３の軸上厚み
ｄ６：第３レンズＬ３の像側面から第４レンズＬ４の物体側面までの軸上距離
ｄ７：第４レンズＬ４の軸上厚み
ｄ８：第４レンズＬ４の像側面から第５レンズＬ５の物体側面までの軸上距離
ｄ９：第５レンズＬ５の軸上厚み
ｄ１０：第５レンズＬ５の像側面から第６レンズＬ６の物体側面までの軸上距離
ｄ１１：第６レンズＬ６の軸上厚み
ｄ１２：第６レンズＬ６の像側面から光学フィルタＧＦの物体側面までの軸上距離
ｄ１３：光学フィルタＧＦの軸上厚み
ｄ１４：光学フィルタＧＦの像側面から像面までの軸上距離
ｎｄ  ：ｄ線の屈折率
ｎｄ１ ：第１レンズＬ１のｄ線の屈折率
ｎｄ２ ：第２レンズＬ２のｄ線の屈折率
ｎｄ３ ：第３レンズＬ３のｄ線の屈折率
ｎｄ４ ：第４レンズＬ４のｄ線の屈折率
ｎｄ５ ：第５レンズＬ５のｄ線の屈折率
ｎｄ６：第６レンズＬ６のｄ線の屈折率
ｎｄｇ：光学フィルタＧＦのｄ線の屈折率
vｄ   ：アッベ数
v１：第１レンズＬ１のアッベ数
v２：第２レンズＬ２のアッベ数
v３：第３レンズＬ３のアッベ数
v４：第４レンズＬ４のアッベ数
v５：第５レンズＬ５のアッベ数
v６：第６レンズＬ６のアッベ数
vｇ：光学フィルタＧＦのアッベ数
ＴＴＬ：光学長（第１レンズＬ１の物体側面から結像面までの軸上距離、単位がｍｍである）
ＬＢ：第６レンズＬ６の像側面から像面までの軸上距離（光学フィルタＧＦの厚みを含む）
ＩＨ：像高
【００３８】
ｙ=(ｘ２／Ｒ)／[１＋{１−(ｋ＋１)(ｘ２／Ｒ２)}１／２]
＋Ａ４ｘ４＋Ａ６ｘ６＋Ａ８ｘ８＋Ａ１０ｘ１０＋Ａ１２ｘ１２＋Ａ１４ｘ１４＋Ａ１６ｘ１６＋Ａ１８ｘ１８＋Ａ２０ｘ２０          （１１）
【００３９】
ここで、ｋは円錐係数であり、Ａ４、Ａ６、Ａ８、Ａ１０、Ａ１２、Ａ１４、Ａ１６、Ａ１８、Ａ２０は非球面係数であり、ｘは非球面曲線上の点と光軸との垂直距離であり、ｙが非球面深さ(非球面上の光軸からの距離がｘである点と、非球面の光軸上の頂点に接する接平面との両者間の垂直距離)である。
【００４０】
各レンズ面の非球面は、便宜上、上記式(１１)で表される非球面を使用している。しかしながら、特に、この式（１１）の非球面多項式に限定するものではない。
【００４１】
好ましくは、高品質の結像需要を満足するように、前記レンズの物体側面及び／又は像側面には変曲点及び／又は停留点（Ｓｔａｔｉｏｎａｒｙ  ｐｏｉｎｔ）を設置することができる。具体的な実施案について、下記の説明を参照する。
【００４２】
表１、表２は、本発明の第１実施形態に係る広角レンズ１０の設計データを示す。
【００４３】
【表１】
2020122954.tif 000003
【００４４】
表２は、本発明の第１実施形態に係る広角レンズ１０における各レンズの非球面データを示す。
【表２】
2020122954.tif 000004
【００４５】
図２、図３は、それぞれ波長４８６ｎｍ、５８８ｎｍ、及び６５６ｎｍの光が第１実施形態に係る広角レンズ１０を通った後の軸上色収差及び倍率色収差を示す模式図である。図４は、波長５８８ｎｍの光が第１実施形態に係る広角レンズ１０を通った後の像面湾曲及び歪曲収差を示す模式図であり、図４の像面湾曲Ｓはサジタル方向の像面湾曲であり、Ｔは子午方向の像面湾曲である。
【００４６】
後の表７は、各実施形態の各条件式で規定したパラメータに対応する値を示す。
【００４７】
表７に示すように、第１実施形態は、各条件式を満足する。
【００４８】
本実施形態において、前記広角レンズの入射瞳径ＥＮＰＤが３．１１４ｍｍであり、全視野の像高ＩＨが４．５６０ｍｍであり、対角線方向の画角２ωが７８．０４８°であり、広角、極薄であり、その軸上、軸外色収差が十分に補正され、且つ優れた光学特性を有する。
【００４９】
（第２実施形態）
第２実施形態は第１実施形態と基本的に同じであり、記号の意味も第１実施形態と同じであり、以下、異なる点のみを示す。
【００５０】
表３、表４は本発明の第２実施形態に係る広角レンズ２０の設計データを示す。
【００５１】
【表３】
2020122954.tif 000005
【００５２】
表４は本発明の第２実施形態に係る広角レンズ２０における各レンズの非球面データを示す。
【表４】
2020122954.tif 000006
【００５３】
図６、図７は、それぞれ波長４８６ｎｍ、５８８ｎｍ、及び６５６ｎｍの光が第２実施形態に係る広角レンズ２０を通った後の軸上色収差及び倍率色収差を示す模式図である。図８は、波長５８８ｎｍの光が第２実施形態に係る広角レンズ２０を通った後の像面湾曲及び歪曲収差を示す模式図である。
【００５４】
表７に示すように、第２実施形態は、各条件式を満足する。
【００５５】
本実施形態において、第１レンズＬ１の焦点距離ｆ１が４．８１３ｍｍであり、第２レンズＬ２の焦点距離ｆ２が−９．５８５ｍｍであり、第３レンズＬ３の焦点距離ｆ３が−１５９．７５１ｍｍであり、第４レンズＬ４の焦点距離ｆ４が５７．４８１ｍｍであり、第５レンズＬ５の焦点距離ｆ５が３．７６２ｍｍであり、第６レンズＬ６の焦点距離ｆ６が−２．８９４ｍｍであり、第６レンズＬ６の像側面上の停留点から光軸までの垂直距離Ｙｃ６２が１．５４５ｍｍである。
【００５６】
広角レンズ１０全体の焦点距離が５．６０７ｍｍであり、光学長ＴＴＬが６．５００ｍｍであり、後焦点距離ＬＢが１．２００ｍｍであり、ＦＮＯが１．７６３であり、前記広角レンズの入射瞳径ＥＮＰＤが３．１８０ｍｍであり、全視野の像高ＩＨが４．５６０ｍｍであり、対角線方向の画角２ωが７７．４０°であり、広角、極薄であり、その軸上、軸外色収差が十分に補正され、且つ優れた光学特性を有する。
【００５７】
（第３実施形態）
第３実施形態は第１実施形態と基本的に同じであり、記号の意味も第１実施形態と同じであり、以下、異なる点のみを示す。
【００５８】
表５、表６は本発明の第３実施形態に係る広角レンズ３０の設計データを示す。
【００５９】
【表５】
2020122954.tif 000007
【００６０】
表６は本発明の第３実施形態に係る広角レンズ３０における各レンズの非球面データを示す。
【００６１】
【表６】
2020122954.tif 000008
【００６２】
図１０、図１１は、それぞれ波長４８６ｎｍ、５８８ｎｍ、及び６５６ｎｍの光が第３実施形態に係る広角レンズ３０を通った後の軸上色収差及び倍率色収差を示す模式図である。図１２は、波長５８７．６ｎｍの光が第３実施形態に係る広角レンズ３０を通った後の像面湾曲及び歪曲収差を示す模式図である。
【００６３】
下記の表７には上記の条件式により本実施形態において各条件式に対応する値を示している。明らかに、本実施形態の撮像光学システムは、上記の条件式を満足する。
【００６４】
本実施形態において、第１レンズＬ１の焦点距離ｆ１が４．９３９ｍｍであり、第２レンズＬ２の焦点距離ｆ２が−１２．２１６ｍｍであり、第３レンズＬ３の焦点距離ｆ３が−６７．８６７ｍｍであり、第４レンズＬ４の焦点距離ｆ４が４０．０１３ｍｍであり、第５レンズＬ５の焦点距離ｆ５が４．１８２ｍｍであり、第６レンズＬ６の焦点距離ｆ６が−２．９８４ｍｍであり、第６レンズＬ６の像側面上の停留点から光軸までの垂直距離Ｙｃ６２が１．６１５ｍｍである。
【００６５】
本実施形態において、広角レンズ１０全体の焦点距離が５．６６４ｍｍであり、光学長ＴＴＬが６．４９８ｍｍであり、後焦点距離ＬＢが１．１９８ｍｍであり、ＦＮＯが１．７８０、前記広角レンズの入射瞳径ＥＮＰＤが３．１８２ｍｍであり、全視野の像高ＩＨが４．５６ｍｍであり、対角線方向の画角２ωが７７．０４７°であり、広角、極薄であり、その軸上、軸外色収差が十分に補正され、且つ優れた光学特性を有する。
【００６６】
表７には、各数値実施例の各条件式で規定されるパラメータに対応する数値を示している。
【００６７】
【表７】
2020122954.tif 000009
【００６８】
当業者であれば分かるように、上記各実施形態が本発明を実現するための具体的な実施形態であり、実際の応用において、本発明の精神と範囲から逸脱しない限り、形式及び細部に対して各種の変更を行うことができる。
【図１】
2020122954.tif 000010
【図２】
2020122954.tif 000011
【図３】
2020122954.tif 000012
【図４】
2020122954.tif 000013
【図５】
2020122954.tif 000014
【図６】
2020122954.tif 000015
【図７】
2020122954.tif 000016
【図８】
2020122954.tif 000017
【図９】
2020122954.tif 000018
【図１０】
2020122954.tif 000019
【図１１】
2020122954.tif 000020
【図１２】
2020122954.tif 000021